(57)【要約】【課題】本発明は、本体とホルダーとを連結している連結部材によりホルダーを自由に開閉し得るし、連結部材に設置されたカメラの位置を自由に調節し得る二重回転構造を有する携帯用端末機を提供することを目的とする。【解決手段】本発明に係る 二重回転構造を有する携帯用端末機においては、情報を入力して機能を操作するための複数のキー１０７を具備する本体１００と、ディスプレイ部２０５を具備するホルダー２００と、第１連結部３１０と該第１連結部３１０に一体に形成される第２連結部３２０と、から成り、前記第１連結部３１０には前記本体１００を回転可能に連結し、前記第２連結部３２０には前記ホルダー２００を回転可能に連結する連結部材３００と、該連結部材３００の回転を選択的に停止し得るように前記本体１００の片方に設置される連結部材ロックキングユニット４００と、を包含して構成されることを特徴とする。【選択図】図１
2005198276.tif 000002
【特許請求の範囲】
【請求項１】
情報を入力して機能を操作するための複数のキーを具備する本体と、
ディスプレイ部を具備するホルダーと、
第１連結部と該第１連結部に一体に形成される第２連結部と、から成り、前記第１連結部には前記本体が回転可能に連結され、前記第２連結部には前記ホルダーが回転可能に連結される連結部材と、
該連結部材の回転を選択的に停止し得るように前記本体の片方に設置される連結部材ロックキングユニットと、を包含して構成されることを特徴とする二重回転構造を有する携帯用端末機。
【請求項２】
前記本体の片方には、前記連結部材の収納のために第１収納溝が形成され、前記ホルダーの片方にも前記連結部材の収納のために第２収納溝が形成されることを特徴とする請求項１記載の二重回転構造を有する携帯用端末機。
【請求項３】
前記第１連結部の一方面に第１ヒンジ溝が形成され、該第１ヒンジ溝に挟まれるように前記本体の一方面に第１ヒンジ軸が形成され、該第１ヒンジ溝と対応されるように前記第２連結部の一方面に第２ヒンジ溝が形成され、該第２ヒンジ溝に挟まれるように前記ホルダーの一方面に第２ヒンジ軸が形成されることを特徴とする請求項１記載の二重回転構造を有する携帯用端末機。
【請求項４】
前記第１連結部の他方側面に第１補助溝が形成され、前記本体の他方側面に第１装着溝が形成され、前記第２連結部の他方側面に第２補助溝が形成され、前記ホルダーの他方側面に第２装着溝が形成され、前記第１補助溝と前記第１装着溝には第１補助ピンが挿入され、前記第２補助溝と前記第２装着溝には第２補助ピンが挿入されることを特徴とする請求項１記載の二重回転構造を有する携帯用端末機。
【請求項５】
前記第１補助ピンは、前記第１装着溝に挟まれる第１固定部と、該第１固定部と回転可能に軸結合されて前記第１補助溝に挟まれる第１回転部と、を包含して構成され、
前記第２補助ピンは、前記第２装着溝に挟まれる第２固定部と、該第２固定部と回転可能に軸結合され、前記第２補助溝に挟まれる第２回転部と、を包含して構成されることを特徴とする請求項１記載の二重回転構造を有する携帯用端末機。
【請求項６】
前記本体は、第１ヒンジ軸と第１補助ピンを中心に回転可能に設置され、前記ホルダーは、前記第２ヒンジ軸と前記第２補助ピンを中心に回転可能に設置されることを特徴とする請求項４記載の二重回転構造を有する携帯用端末機。
【請求項７】
前記第１連結部は、第１ヒンジ軸と第１補助ピンを中心に回転可能に設置され、前記第２連結部は、第２ヒンジ軸と第２補助ピンを中心に回転可能に設置されることを特徴とする請求項４記載の二重回転構造を有する携帯用端末機。
【請求項８】
前記連結部材ロックキングユニットは、前記本体の内部にスライド可能に設置され、前記連結部材に形成されたロックキング溝に選択的に挟まれ得るように片方面にロックキング突起が形成されて、他方側面面には取っ手が形成されるスライダーと、
該スライダーを弾力的に移動させ得るように該スライダーに隣接して設置されるスプリングと、を包含して構成されることを特徴とする請求項１記載の二重回転構造を有する携帯用端末機。
【請求項９】
前記本体の上面にはスロットが形成され、該スロットにより前記取っ手が本体の外に露出されることを特徴とする請求項８記載の二重回転構造を有する携帯用端末機。
【請求項１０】
前記連結部材の第１連結部と第２連結部間には、前記ホルダーを開いた時に該ホルダーの開けられた角度を一定に維持する係止突条が形成されることを特徴とする請求項１記載の二重回転構造を有する携帯用端末機。
【請求項１１】
前記連結部材の第１連結部の前面にはカメラが設置されることを特徴とする請求項１記載の二重回転構造を有する携帯用端末機。
【発明の詳細な説明】
【技術分野】
【０００１】
本発明は、二重回転構造を有する携帯用端末機に係るもので、詳しくは、本体とホルダーとを連結している連結部材によりホルダーを自由に開閉し得るし、連結部材に設置されたカメラの位置を自由に調節し得る二重回転構造を有する携帯用端末機に関するものである。
【背景技術】
【０００２】
携帯用端末機は、単純に音声やデータを伝送する機能だけではなく、マルチメディア機能とインターネット機能を提供している。また、携帯用端末機は、カメラを具備してカメラで撮影した映像イメージを相手の携帯用端末機に送受信することもする。
【０００３】
従来の携帯用端末機においては、 図９及び図１０に示したように、複数個のボタン１aが全面に形成されている本体１と、ヒンジ部３aにより前記本体１にその一方端が回転可能に結合されて、端末機本体１に対して開閉アンフォールディング又はフォールディング可能に設置されて、前記端末機本体１を保護して相手を画像で見ることのできるメインディスプレイ部２を具備するホルダー３と、該ホルダー３に装着されるカメラ４と、を包含して構成されていた。
【０００４】
また、前記ホルダー３の前面には、カメラ４で撮影した映像を見ることができるようにサブディスプレイ部３bが設置されている。
【０００５】
上記のように構成された従来の携帯用端末機においては、音声送受信モード時は、図１０に示したように、前記ホルダー３をヒンジ部３aを基準に所定角度回動させて前記ホルダー３を開けて使用する。
【０００６】
また、相手撮影モードの時は、該ホルダー３を動いて前記カメラ４の位置を適切に相手に合せた後、ボタン１aを押して撮影してメインディスプレイ部２により撮影結果を見ることができる。
【０００７】
また、使用者自身撮影モードの時には、該ホルダー３を反対に返して前記カメラ４の位置を適切に自身に合せた後、ボタン１aを押して撮影してサブディスプレイ部３bにより撮影結果を見ることができる。
【発明の開示】
【発明が解決しようとする課題】
【０００８】
然るに、従来の携帯電話用端末機においては、ホルダーの開放を１２０〜１８０度しか具現し得ない単純な構造であって、ホルダーの開けられた角度が限定されているため、該ホルダーを開閉する動作が非常に不便であったという不都合な点があった。
【０００９】
また、使用者自身が撮影モードの時に携帯用端末機構造上、メインディスプレイを見ることができなくてサブディスプレイ部のみを見ながら撮影しなければならないため、その使用が非常に不便であったという不都合な点があった。
【００１０】
本発明は、上記の問題点に鑑みて成されたもので、本体とホルダーとを連結している連結部材によりホルダーを自由に開閉し得るし、該連結部材に設置されたカメラの位置を自由に調節し得る二重回転構造を有する携帯用端末機を提供することを目的とする。
【課題を解決するための手段】
【００１１】
上記目的を達成するため、本発明に係る二重回転構造を有する携帯用端末機においては、情報を入力して機能を操作するための複数のキーを具備する本体と、ディスプレイ部を具備するホルダーと、カメラを有する第１連結部と該第１連結部に一体に形成される第２連結部と、から成り、前記第１連結部には前記本体を回転可能に連結して前記第２連結部には前記ホルダーを回転可能に連結する連結部材と、該連結部材の回転を選択的に停止し得るように前記本体の片方に設置される連結部材ロックキングユニットと、を包含して構成されることを特徴とする。
【００１２】
また、前記本体の片方には、前記連結部材の収納のために第１収納溝が形成され、前記ホルダーの片方にも前記連結部材の収納のために第２収納溝が形成されることを特徴とする。
【００１３】
また、前記第１連結部の一方面に第１ヒンジ溝が形成され、該第１ヒンジ溝に挟まれるように前記本体の一方面に第１ヒンジ軸が形成され、該第１ヒンジ溝と対応されるように前記第２連結部の一方面に第２ヒンジ溝が形成され、該第２ヒンジ溝に挟まれるように前記ホルダーの一方面に第２ヒンジ軸が形成されることを特徴とする。
【００１４】
また、前記第１ヒンジ溝と第２ヒンジ溝とは相互交差されるように位置され、前記第１ヒンジ軸と第２ヒンジ軸も相互交差されるように位置されることを特徴とする。
【００１５】
また、前記第１連結部の他方側面に第１補助溝が形成され、前記本体の他方側面に第１装着溝が形成され、前記第２連結部の他方側面に第２補助溝が形成され、前記ホルダーの他方側面に第２装着溝が形成されて、前記第１補助溝と前記第１装着溝には第１補助ピンが挿入され、前記第２補助溝と前記第２装着溝には第２補助ピンが挿入されることを特徴とする。
【００１６】
また、前記第１補助ピンは、前記第１装着溝に挟まれる第１固定部と、該第１固定部と回転可能に軸結合されて前記第１補助溝に挟まれる第１回転部と、から構成され、前記第２補助ピンは、前記第２装着溝に挟まれる第２固定部と、該第２固定部と回転可能に軸結合されて該第２補助溝に挟まれる第２回転部と、を包含して構成されることを特徴とする。
【００１７】
また、前記本体は、前記第１ヒンジ軸と第１補助ピンを中心に回転可能に設置され、前記ホルダーは、前記第２ヒンジ軸と前記第２補助ピンを中心に回転可能に設置されることを特徴とする。
【００１８】
また、前記第１連結部は、前記第１ヒンジ軸と第１補助ピンを中心に回転可能に設置され、前記第２連結部は、前記第２ヒンジ軸と第２補助ピンを中心に回転可能に設置されることを特徴とする。
【００１９】
また、前記連結部材ロックキングユニットは、前記本体の内部にスライド可能に設置され、前記連結部材に形成されたロックキング溝に選択的に挟まれ得るように片方面にロックキング突起が形成され、他方側面面には取っ手が形成されるスライダー及び該スライダーを弾力的に移動させ得るように該スライダーに隣接して設置されるスプリングと、を包含して構成されることを特徴とする。
【００２０】
また、前記本体の上面にはスロットが形成され、該スロットにより前記取っ手が本体の外に露出されることを特徴とする。
【００２１】
また、前記連結部材の第１連結部と第２連結部間には、前記ホルダーを開いた時に該ホルダーの開けられた角度を一定に維持する係止突条が形成されることを特徴とする。
【００２２】
従って、本発明は、以下を提供する。
１．情報を入力して機能を操作するための複数のキーを具備する本体と、
ディスプレイ部を具備するホルダーと、
第１連結部と該第１連結部に一体に形成される第２連結部と、から成り、前記第１連結部には前記本体が回転可能に連結され、前記第２連結部には前記ホルダーが回転可能に連結される連結部材と、
該連結部材の回転を選択的に停止し得るように前記本体の片方に設置される連結部材ロックキングユニットと、を包含して構成されることを特徴とする二重回転構造を有する携帯用端末機。
２．前記本体の片方には、前記連結部材の収納のために第１収納溝が形成され、前記ホルダーの片方にも前記連結部材の収納のために第２収納溝が形成されることを特徴とする項目１記載の二重回転構造を有する携帯用端末機。
３．前記第１連結部の一方面に第１ヒンジ溝が形成され、該第１ヒンジ溝に挟まれるように前記本体の一方面に第１ヒンジ軸が形成され、該第１ヒンジ溝と対応されるように前記第２連結部の一方面に第２ヒンジ溝が形成され、該第２ヒンジ溝に挟まれるように前記ホルダーの一方面に第２ヒンジ軸が形成されることを特徴とする項目１記載の二重回転構造を有する携帯用端末機。
４．前記第１連結部の他方側面に第１補助溝が形成され、前記本体の他方側面に第１装着溝が形成され、前記第２連結部の他方側面に第２補助溝が形成され、前記ホルダーの他方側面に第２装着溝が形成され、前記第１補助溝と前記第１装着溝には第１補助ピンが挿入され、前記第２補助溝と前記第２装着溝には第２補助ピンが挿入されることを特徴とする項目１記載の二重回転構造を有する携帯用端末機。
５．前記第１補助ピンは、前記第１装着溝に挟まれる第１固定部と、該第１固定部と回転可能に軸結合されて前記第１補助溝に挟まれる第１回転部と、を包含して構成され、
前記第２補助ピンは、前記第２装着溝に挟まれる第２固定部と、該第２固定部と回転可能に軸結合され、前記第２補助溝に挟まれる第２回転部と、を包含して構成されることを特徴とする項目１記載の二重回転構造を有する携帯用端末機。
６．前記本体は、第１ヒンジ軸と第１補助ピンを中心に回転可能に設置され、前記ホルダーは、前記第２ヒンジ軸と前記第２補助ピンを中心に回転可能に設置されることを特徴とする項目４記載の二重回転構造を有する携帯用端末機。
７．前記第１連結部は、第１ヒンジ軸と第１補助ピンを中心に回転可能に設置され、前記第２連結部は、第２ヒンジ軸と第２補助ピンを中心に回転可能に設置されることを特徴とする項目４記載の二重回転構造を有する携帯用端末機。
８．前記連結部材ロックキングユニットは、前記本体の内部にスライド可能に設置され、前記連結部材に形成されたロックキング溝に選択的に挟まれ得るように片方面にロックキング突起が形成されて、他方側面面には取っ手が形成されるスライダーと、
該スライダーを弾力的に移動させ得るように該スライダーに隣接して設置されるスプリングと、を包含して構成されることを特徴とする項目１記載の二重回転構造を有する携帯用端末機。
９．前記本体の上面にはスロットが形成され、該スロットにより前記取っ手が本体の外に露出されることを特徴とする項目８記載の二重回転構造を有する携帯用端末機。
１０．前記連結部材の第１連結部と第２連結部間には、前記ホルダーを開いた時に該ホルダーの開けられた角度を一定に維持する係止突条が形成されることを特徴とする項目１記載の二重回転構造を有する携帯用端末機。
１１．前記連結部材の第１連結部の前面にはカメラが設置されることを特徴とする項目１記載の二重回転構造を有する携帯用端末機。
【発明の効果】
【００２３】
以上、説明したように、本発明に係る二重回転構造を有する携帯用端末機においては、ホルダーも回転させ得るし、ホルダーをそのまま置いて連結部材を回転し得る二重回転構造を採択することで、本体とホルダーとを連結している連結部材によりホルダーを自由に開閉し得るし、連結部材に設置されたカメラの位置を自由に調節し得るという効果がある。
【発明を実施するための最良の形態】
【００２４】
以下、貼付図面を参照して本発明に係る二重回転構造を有する携帯用端末機に対して説明する。
【００２５】
本発明に係る二重回転構造を有する携帯用端末機においては、図１乃至図６に示したように、情報を入力して機能を操作するための複数のキー１０７を具備する本体１００と、ディスプレイ部２０５を具備するホルダー２００と、カメラ５００を有する第１連結部３１０と該第１連結部３１０に一体に形成される第２連結部３２０と、から成り、前記第１連結部３１０には前記本体１００を回転可能に連結して前記第２連結部３２０には前記ホルダー２００を回転可能に連結する連結部材３００と、該連結部材３００の回転を選択的に停止し得るように前記本体１００の片方に設置される連結部材ロックキングユニット４００と、を包含して構成されていることを特徴とする。
【００２６】
また、前記本体１００の片方には、前記連結部材３００の収納のために第１収納溝１０１が形成されていて、前記ホルダー２００の片方にも前記連結部材３００の収納のために第２収納溝２０１が形成されている。
【００２７】
また、前記第１連結部３１０の一方面に第１ヒンジ溝３１１が形成されていて、前記第１ヒンジ溝３１１に挟まれるように前記本体１００の一方面、より正確には前記第１収納溝１０１の内周面に第１ヒンジ軸１０３が形成されている。
【００２８】
前記第１ヒンジ溝３１１と対応されるように前記第２連結部３２０の一方面に第２ヒンジ溝３２１が形成されていて、前記第２ヒンジ溝３２１に挟まれるように前記ホルダー２００の一方面、より正確には前記第２収納溝２０１の内周面に第２ヒンジ軸２０３が形成されている。
【００２９】
また、前記第１連結部３１０の他方側面に第１補助溝３１２が形成されていて、前記本体１００の他方側面に第１装着溝１０２が形成されている。
【００３０】
また、前記第１補助溝３１２と前記第１装着溝１０２には、第１補助ピン３３０が挿入されている。
【００３１】
また、前記第２連結部３２０の他方側面に第２補助溝３２２が形成されていて、前記ホルダー２００の他方側面に第２装着溝２０２が形成されている。
【００３２】
前記第２補助溝３２２と前記第２装着溝２０２には、第２補助ピン３４０が挿入されている。
【００３３】
前記第１補助ピン３３０は、図４に示したように、前記第１装着溝１０２に挟まれる第１固定部３３１と、該第１固定部３３１と回転可能に軸３３３結合されて前記第１補助溝３１２に挟まれる第１回転部３３２と、を包含して構成されている。
【００３４】
また、前記第２補助ピン３４０も、図５に示したように、前記第２装着溝２０２に挟まれる第２固定部３４１と、該第２固定部３４１と回転可能に軸３４３結合されて前記第２補助溝３２２に挟まれる第２回転部３４２と、を包含して構成されている。
【００３５】
また、前記本体１００は、前記第１ヒンジ軸１０３と第１補助ピン３３０を中心に回転可能に設置され、前記ホルダー２００も前記第２ヒンジ軸２０３と前記第２補助ピン３４０を中心に回転可能に設置されている。
【００３６】
上記説明したように、前記本体１００は、前記第１ヒンジ軸１０３と第１補助ピン３３０を中心に回転可能に設置され、前記ホルダー２００も前記第２ヒンジ軸２０３と前記第２補助ピン３４０を中心に回転可能に設置されることは勿論、図６に示したように、本体１００とホルダー２００は、回転されることなく、そのままの状態で前記連結部材３００を所定角度に回転させ得るようになっている。即ち、本発明に係る二重回転構造を有する携帯用端末機においては、前記ホルダー２００を自由に回転させ得るだけではなく、該ホルダー２００をそのまま置いて前記連結部材３００のみを回転し得る二重回転構造になっている。
【００３７】
このような二重回転構造においては、前記連結部材３００に設置されたカメラ５００の方向を使用者が自由に相手或いは使用者自身の方向に転換し得るため、使用者は常にディスプレイ部２０５を見ながら便利に撮影することができる。
【００３８】
即ち、従来の携帯用端末機の場合には、カメラを使用して使用者自身を撮影しようとする時、携帯用端末機自体を１８０°返してホルダーの前面に形成されたサブディスプレイ部を見ながら撮影しなければならない構造であった。
【００３９】
然し、本発明に係る二重回転構造を有する携帯用端末機においては、前記ホルダー２００及び本体１００を動く必要がなく、前記連結部材３００を回転させて前記カメラ５００が使用者自身に向けるようにし得る構造になっている。
【００４０】
このような機能を実現するため、前記第１連結部３１０は、前記第１ヒンジ軸１０３と第１補助ピン３３０を中心に回転可能に設置されていて、前記第２連結部３２０は、前記第２ヒンジ軸２０３と第２補助ピン３４０を中心に回転可能に設置されている。
【００４１】
以下、前記連結部材３００が任意に動かないようにする連結部材ロックキングユニット４００の構成に対して説明する。
【００４２】
該連結部材ロックキングユニット４００は、音声送受信モードの時には前記連結部材３００が回転されないように固定させて、使用者自身の撮影モードのように該連結部材３００の回転を必要とする場合のみに該連結部材３００を回転可能な状態に転換させる役割をする。
【００４３】
また、前記連結部材ロックキングユニット４００は、前記本体１００の内部にスライド可能に設置され、前記連結部材３００に形成されたロックキング溝３０１に選択的に挟まれ得るように片方面にロックキング突起４１１が形成されて、他方側面面には取っ手４１２が形成されるスライダー４１０及び該スライダー４１０を弾力的に移動させ得るように該スライダー４１０に隣接して設置されるスプリング４２０を包含して構成される。
【００４４】
また、前記本体１００の上面には、スロット１０５が形成されて、該スロット１０５により前記取っ手４１２が本体１００の外に露出されている。
【００４５】
また、前記連結部材３００の第２連結部３２０の外周面の一部には、前記ホルダー２００を開いた時に該ホルダー２００の開けられた角度を一定に維持する係止突条３０３が形成されている。
【００４６】
以下、このように構成される二重回転構造を有する携帯用端末機の動作に対し、説明する。
【００４７】
音声送受信モードの時には、図１及び図２に示したように、前記連結部材３００を中心にホルダー２００を所定角度回動させた後、前記ボタン１０７を使用して相手と通話することができる。ここで、前記ホルダー２００は、前記第１ヒンジ軸２０３と第２補助ピン３４０を中心に回転される。前記ホルダー２００を開いた時、前記連結部材３００の中間外周面の一部に形成された係止突条３０３によって前記ホルダー２００の開けられた角度が一定に維持される。このように該ホルダー２００の開けられた角度が一定に維持されることで使用者が便利に通話することができる。
【００４８】
また、図２に示したように、相手撮影モードの時には、前記カメラ５００の位置を適切に相手に合せた後、前記ボタン１０７を押して撮影して前記ディスプレイ部２０５により撮影結果を見ることができる。
【００４９】
また、使用者自身撮影モードの時には、先ず、連結部材ロックキングユニット４００のロックキングを解除させて前記連結部材３００を回転させ得る状態で転換させなければならない。
【００５０】
即ち、前記ホルダー２００を開いた状態で、前記取っ手４１２を取って前記スプリング４２０方向に押して、前記スライダー４１０のロックキング突起４１１が前記ロックキング溝３０１から抜けるようにする。このように前記スライダー４１０のロックキング突起４１１が前記ロックキング溝３０１から抜けるようになることで、前記連結部材３００は回転可能な状態に維持される。この状態で、前記第１連結部３１０は、前記第１ヒンジ軸１０３と第１補助ピン３３０を中心に回転され、前記第２連結部３２０は、第２ヒンジ軸２０３と第２補助ピン３４０を中心に回転されるにつれ、前記連結部材３００の第１連結部３１０の前面に設置されたカメラ５００の方向が使用者の方向に転換される。このように使用者は、前記ホルダー２００を１８０度に返すことなく、前記カメラ５００の方向を転換させて使用者自身を便利に撮影することができる。
【００５１】
一方、図７は、本発明に係る二重回転構造を有する携帯用端末機を底面に垂直に設置した状態を示した正面図で、図８は図７の側面図である。
【００５２】
これに示したように、室内の底面６００或いはテーブルの上に携帯用端末機を載置して前記カメラ５００の位置を被写体(図示せず)に向かうようにして撮影を実施することができる。このように使用者は、携帯用端末機を手で持つことなく、室内の底面６００或いはテーブルの上に載置して使用することで、まるで前記ホルダー２００と本体１００が一般カメラを支持する三角台と同様な機能を持つようにしてより便利に撮影することができる。
【００５３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００５４】
【図１】本発明に係る二重回転構造を有する携帯用端末機を示した斜視図である。
【図２】図１の側面図である。
【図３】本発明に係る二重回転構造を有する携帯用端末機であって、要部抜粋分離斜視図である。
【図４】本発明に係る二重回転構造を有する携帯用端末機であって、第１補助ピンを示した縦断面図である。
【図５】本発明に係る二重回転構造を有する携帯用端末機であって、第２補助ピンを示した縦断面図である。
【図６】本発明に係る二重回転構造を有する携帯用端末機であって、連結部材を回転させた状態を示した側面図である。
【図７】本発明に係る二重回転構造を有する携帯用端末機を底面に垂直に設置した状態を示した正面図である。
【図８】図７の側面図である。
【図９】従来のホルダータイプ携帯用端末機を示した斜視図である。
【図１０】従来のホルダータイプ携帯用端末機を示した作動図である。
【符号の説明】
【００５５】
１００:本体
１０１:第１収納溝
１０２:第１装着溝
１０３:第１ヒンジ軸
１０５:スロット
１０７:キー
２００:ホルダー
２０１:第２収納溝
２０２:第２装着溝
２０３:第２ヒンジ軸
２０５:ディスプレイ部
３００:連結部材
３０１:ロックキング溝
３０３:係止突条
３１０:第１連結部
３１１:第１ヒンジ溝
３１５:第１補助溝
３２０:第２連結部
３２１:第２ヒンジ溝
３２２:第２補助溝
３３０:第１補助ピン
３３１:第１固定部
３３２:第１回転部
３３３:軸
３４０:第２補助ピン
４００:連結部材ロックキングユニット
４１０:スライダー
４１１:ロックキング突起
４２０:スプリング
３４１:第２固定部
３４２:第２回転部
３４３:軸
５００:カメラ
【図１】
2005198276.tif 000003
【図２】
2005198276.tif 000004
【図３】
2005198276.tif 000005
【図４】
2005198276.tif 000006
【図５】
2005198276.tif 000007
【図６】
2005198276.tif 000008
【図７】
2005198276.tif 000009
【図８】
2005198276.tif 000010
【図９】
2005198276.tif 000011
【図１０】
2005198276.tif 000012